(57)【要約】【課題】  外部メモリカードを複数の別の機能として使い分ける構成を持つ装置において、一つの機能が設定されている状態でメモリカードの取り外し、もしくは機能変更が行われた際に表示等を行う手段が無く、機能が中断してしまう等の問題があり、さらにメモリカードが抜かれてしまった場合には、再度挿入したとしても設定をやり直さなければならず、使い勝手が悪くなってしまっていた。【解決手段】  一つの機能が設定もしくは、実行されている場合に、メモリカードが取り出し、および機能変更が行われた場合には機能使用不能になることをユーザーに確認させる確認画面を表示し、特に取り出されてしまった場合にはメモリカードの挿入要求画面を出し、また、外部メモリカードがある機能に割り当てられた場合には、その機能をメモリカードの内部に設定として保存し、取り外された後も再度、差し込まれた時点で自動的に設定を復旧する。【選択図】        図５
2007081541.tif 000002
【特許請求の範囲】
【請求項１】
データを読み書き可能な内部記憶手段と、
着脱可能でデータを読み書き可能な外部記憶手段と、
画像データを入力する画像入力手段と、
画像データを出力する画像出力手段と、
前記外部記憶手段に保存された画像データを前記画像出力手段により出力可能とする前記外部記憶手段の第一のモードと、前記外部記憶手段に前記画像入力手段から入力された画像を保存する前記外部記憶手段の第二のモードと、前記画像入力手段から入力した画像を、前記画像出力手段により出力する際に、前記外部記憶手段を一時的に利用する第三のモードと、外部記憶手段に保存されたデータにより本体の機能を拡張可能な第四のモードのうち、少なくとも二つのモードを持ち、
前記のモードを切り替えて使用するための外部記憶手段モード切り替え手段と、
を具備することを特徴とした画像入出力装置。
【請求項２】
データを読み書き可能な内部記憶手段と、
着脱可能でデータを読み書き可能な外部記憶手段と、
画像データを入力する画像入力手段と、
画像データを出力する画像出力手段と、
画像を転送するための通信手段と、
前記通信手段に接続された外部機器と、
前記外部記憶手段に保存された画像データを前記画像出力手段により出力可能とする前記外部記憶手段の第一のモードと、前記外部記憶手段に前記画像入力手段から入力された画像を保存する前記外部記憶手段の第二のモードと、前記画像入力手段から入力した画像を、前記画像出力手段により出力する際に、前記外部記憶手段を一時的に利用する第三のモードと、前記画像入力手段から入力した画像を前記通信手段により接続された外部機器へ転送する際に、前記外部記憶手段を一時的に利用する第四のモードと、前記外部機器から転送される画像データを前記画像出力手段により出力する際に、前記外部記憶手段を一時的に利用する第五のモードと、通信手段に接続された外部機器から直接外部記憶手段の内容を読み込み、もしくは読み書き可能とする第六のモードと、外部記憶手段に保存されたデータにより本体の機能を拡張可能な第七のモードのうち、少なくとも二つのモードを持ち、
前記のモードを切り替えて使用するための外部記憶手段モード切り替え手段と、
を具備することを特徴とした画像入出力装置。
【請求項３】
データを読み書き可能な内部記憶手段と、
着脱可能でデータを読み書き可能な外部記憶手段と、
画像データを入力する画像入力手段と、
前記外部記憶手段に前記画像入力手段から入力された画像を保存する前記外部記憶手段の第一のモードと、外部記憶手段に保存されたデータにより本体の機能を拡張する第二のモードとを持ち、
前記のモードを切り替えて使用するための外部記憶手段モード切り替え手段と、
を具備することを特徴とした画像入力装置。
【請求項４】
データを読み書き可能な内部記憶手段と、
着脱可能でデータを読み書き可能な外部記憶手段と、
画像データを入力する画像入力手段と、
画像を転送するための通信手段と、
前記通信手段に接続された外部機器と、
前記外部記憶手段に前記画像入力手段から入力された画像を保存する前記外部記憶手段の第二のモードと、前記画像入力手段から入力した画像を前記通信手段により接続された外部機器へ転送する際に、前記外部記憶手段を一時的に利用する第二のモードと、通信手段に接続された外部機器から直接外部記憶手段の内容を読み込み、もしくは読み書き可能とする第三のモードと、外部記憶手段に保存されたデータにより本体の機能を拡張可能な第四のモードのうち、少なくとも二つのモードを持ち、
前記のモードを切り替えて使用するための外部記憶手段モード切り替え手段と、
を具備することを特徴とした画像入力装置。
【請求項５】
データを読み書き可能な内部記憶手段と、
着脱可能でデータを読み書き可能な外部記憶手段と、
画像データを出力する画像出力手段と、
前記外部記憶手段に保存された画像データを前記画像出力手段により出力可能とする前記外部記憶手段の第一のモードと、外部記憶手段に保存されたデータにより本体の機能を拡張可能な第二のモードを持ち、
前記のモードを切り替えて使用するための外部記憶手段モード切り替え手段と、
を具備することを特徴とした画像出力装置。
【請求項６】
データを読み書き可能な内部記憶手段と、
着脱可能でデータを読み書き可能な外部記憶手段と、
画像データを出力する画像出力手段と、
画像を転送するための通信手段と、
前記通信手段に接続された外部機器と、
前記外部記憶手段に保存された画像データを前記画像出力手段により出力可能とする前記外部記憶手段の第一のモードと、前記外部機器から転送される画像データを前記画像出力手段により出力する際に、前記外部記憶手段を一時的に利用する第二のモードと、通信手段に接続された外部機器から直接外部記憶手段の内容の読み込み、もしくは読み書き可能とする第三のモードと、外部記憶手段に保存されたデータにより本体の機能を拡張可能な第四のモードのうち、少なくとも二つのモードを持ち、
前記のモードを切り替えて使用するための外部記憶手段モード切り替え手段と、
を具備することを特徴とした画像出力装置。
【請求項７】
請求項１から６のいずれかに記載される装置において、
前記外部記憶手段の取り外しを検知する検知手段と、
前記検知手段により取り外しが検知されたときに、使用されていたモードが使用不可能になるならば、使用不可能となることを表示する表示手段と、
使用不可能になることを確認させる確認手段と、
を具備することを特徴とした画像処理装置。
【請求項８】
請求項１から６のいずれかに記載される装置において、
外部記憶手段モード切り替え手段によりモードが切り替えられる際に、使用されていたモードが使用不可能になるならば、前記外部記憶手段モード切り替え手段によるモードの切り替えを禁止するモード切り替え禁止手段と、
を具備することを特徴とした画像処理装置。
【請求項９】
請求項１から６のいずれかに記載される装置において、
外部記憶手段モード切り替え手段によりモードが切り替えられる際に、使用されていたモードが使用不可能になるならば、使用不可能になることを表示する表示手段と、
使用不可能になることを確認させる確認手段と、
を具備することを特徴とした画像処理装置。
【請求項１０】
請求項１から６のいずれかに記載される装置において、
外部記憶手段が接続されたことを検知する外部記憶手段接続検知手段と、
前記接続手段により接続を検知した際に、拡張機能の有無を検出する外部記憶手段内の拡張機能検知手段と、
前記拡張機能検知手段により拡張機能が検知された場合に、外部記憶手段のモード切り替え手段を有効にするべく制御する制御手段と、
を具備することを特徴とした画像処理装置。
【請求項１１】
請求項１から６のいずれかに記載される装置において、
外部記憶手段が接続されたことを検知する外部記憶手段接続検知手段と、
前記接続手段により接続を検知した際に、拡張機能の有無を検出する外部記憶手段内の拡張機能検知手段と、
前記拡張機能検知手段により拡張機能が検知された場合に、外部記憶手段のモードを自動的に外部記憶手段内の拡張機能を設定する拡張機能自動設定手段と、
を具備することを特徴とした画像処理装置。
【請求項１２】
請求項１から６のいずれかに記載される装置において、
前記外部記憶手段が使用されているモード情報を外部記憶手段の内部に記憶するモード記憶手段と、
前記外部記憶手段が接続されたことを検知する検知手段と、
前記外部記憶手段の接続検知手段により接続が検知された際に、前記外部記憶手段の内部に前記モード記憶手段により記憶されたモード情報を判定するモード情報判定手段と、
前記モード情報判定手段により判定されたモードを自動的に設定するモード自動設定手段と、
を具備することを特徴とした画像処理装置。
【発明の詳細な説明】
【技術分野】
【０００１】
本発明はメモリカードを用いて機能拡張可能な画像入出力装置、画像入力装置、画像出力装置及び画像処理装置に関するものである。
【背景技術】
【０００２】
外部メモリカードを用いて機能を拡張可能な装置に関する従来の技術としては特許文献１に記載されたプリンタ装置がある。
【０００３】
特許文献１によると通常はメモリカードに保存された画像を印字可能かつ、コンピュータ接続時には外部メモリカードとしてアクセス可能な機能を割り当て、コンピュータから大きなサイズの画像印字命令を受けた際に、印字データ保存用の内部ＲＡＭとして使用する機能を持つことで印字できる画像サイズを大きくするという効果を得ている。
【０００４】
また、特許文献２に記載された画像入力装置においては、入力する画像の保存エリアとして使用することで、入力する画像サイズを大きくできるという効果を得ている。
【特許文献１】特開２００４−７８８８４号公報
【特許文献２】特開２００３−６１０２９号公報
【発明の開示】
【発明が解決しようとする課題】
【０００５】
しかしながら、これらの発明では、外部メモリカードの使用方法による効果を述べたものであり、実際にこれらの機能を切り替えて使用する場合についての切り替え方法等については言及されていない。
【０００６】
例えば、前者の上記プリンタ装置においてコンピュータ接続時に外部メモリカードとして使用している際に、プリンタの印字データ保存メモリカードとして使用された場合には、コンピュータからの外部メモリカードに対するアクセスが不可能になってしまう。
【０００７】
また、上記印字中にメモリカードが抜かれてしまった場合には印刷が中断してしまう等の不具合が発生するが、この対処方法について上記発明には記載がない。
【０００８】
さらには一度メモリカードが抜かれてしまった場合には、再度挿入したとしても設定をやり直さなければならず、使い勝手が悪くなってしまう恐れがあった。
【０００９】
本発明は、以上の点に着目して成されたもので、外部メモリカードにおいて複数の機能を使い分ける際に発生する不具合を解決することができ、より使いやすい画像入出力装置、画像入力装置、画像出力装置及び画像処理装置を提供することを目的とする。
【課題を解決するための手段】
【００１０】
これらの問題を解決するために、本発明における外部メモリカード選択装置においては、
ある機能が使用されている場合にモードが切り替えられた場合、メモリカードが取り外された場合には、この機能が使用不可能になってしまうことを表示する表示手段、
機能を切り替える際に、ある機能が使用されている場合には、機能の切り替えを禁止する手段、
外部メモリカードを挿入した際に、メモリカードが拡張機能を持つ場合には、拡張機能として使用するかどうかの確認手段、
外部メモリカードにある機能が設定された際に、その設定を外部メモリカード内に保存し、取り外された後にも再度挿入した際には自動的に保存された機能を設定する自動外部メモリカード機能設定手段、
等を備え、メモリカードを複数の機能として使用する際に発生する諸問題を解決するものである。
【００１１】
すなわち、本発明の技術内容は以下の構成を備えることにより前記課題を解決できた。
【００１２】
（１）データを読み書き可能な内部記憶手段と、着脱可能でデータを読み書き可能な外部記憶手段と、画像データを入力する画像入力手段と、画像データを出力する画像出力手段と、前記外部記憶手段に保存された画像データを前記画像出力手段により出力可能とする前記外部記憶手段の第一のモードと、前記外部記憶手段に前記画像入力手段から入力された画像を保存する前記外部記憶手段の第二のモードと、前記画像入力手段から入力した画像を、前記画像出力手段により出力する際に、前記外部記憶手段を一時的に利用する第三のモードと、外部記憶手段に保存されたデータにより本体の機能を拡張可能な第四のモードのうち、少なくとも二つのモードを持ち、前記のモードを切り替えて使用するための外部記憶手段モード切り替え手段とを具備することを特徴とした画像入出力装置。
【００１３】
（２）データを読み書き可能な内部記憶手段と、着脱可能でデータを読み書き可能な外部記憶手段と、画像データを入力する画像入力手段と、画像データを出力する画像出力手段と、画像を転送するための通信手段と、前記通信手段に接続された外部機器と、前記外部記憶手段に保存された画像データを前記画像出力手段により出力可能とする前記外部記憶手段の第一のモードと、前記外部記憶手段に前記画像入力手段から入力された画像を保存する前記外部記憶手段の第二のモードと、前記画像入力手段から入力した画像を、前記画像出力手段により出力する際に、前記外部記憶手段を一時的に利用する第三のモードと、前記画像入力手段から入力した画像を前記通信手段により接続された外部機器へ転送する際に、前記外部記憶手段を一時的に利用する第四のモードと、前記外部機器から転送される画像データを前記画像出力手段により出力する際に、前記外部記憶手段を一時的に利用する第五のモードと、通信手段に接続された外部機器から直接外部記憶手段の内容を読み込み、もしくは読み書き可能とする第六のモードと、外部記憶手段に保存されたデータにより本体の機能を拡張可能な第七のモードのうち、少なくとも二つのモードを持ち、前記のモードを切り替えて使用するための外部記憶手段モード切り替え手段とを具備することを特徴とした画像入出力装置。
【００１４】
（３）データを読み書き可能な内部記憶手段と、着脱可能でデータを読み書き可能な外部記憶手段と、画像データを入力する画像入力手段と、前記外部記憶手段に前記画像入力手段から入力された画像を保存する前記外部記憶手段の第一のモードと、外部記憶手段に保存されたデータにより本体の機能を拡張する第二のモードとを持ち、前記のモードを切り替えて使用するための外部記憶手段モード切り替え手段とを具備することを特徴とした画像入力装置。
【００１５】
（４）データを読み書き可能な内部記憶手段と、着脱可能でデータを読み書き可能な外部記憶手段と、画像データを入力する画像入力手段と、画像を転送するための通信手段と、前記通信手段に接続された外部機器と、前記外部記憶手段に前記画像入力手段から入力された画像を保存する前記外部記憶手段の第二のモードと、前記画像入力手段から入力した画像を前記通信手段により接続された外部機器へ転送する際に、前記外部記憶手段を一時的に利用する第二のモードと、通信手段に接続された外部機器から直接外部記憶手段の内容を読み込み、もしくは読み書き可能とする第三のモードと、外部記憶手段に保存されたデータにより本体の機能を拡張可能な第四のモードのうち、少なくとも二つのモードを持ち、前記のモードを切り替えて使用するための外部記憶手段モード切り替え手段とを具備することを特徴とした画像入力装置。
【００１６】
（５）データを読み書き可能な内部記憶手段と、着脱可能でデータを読み書き可能な外部記憶手段と、画像データを出力する画像出力手段と、前記外部記憶手段に保存された画像データを前記画像出力手段により出力可能とする前記外部記憶手段の第一のモードと、外部記憶手段に保存されたデータにより本体の機能を拡張可能な第二のモードを持ち、前記のモードを切り替えて使用するための外部記憶手段モード切り替え手段とを具備することを特徴とした画像出力装置。
【００１７】
（６）データを読み書き可能な内部記憶手段と、着脱可能でデータを読み書き可能な外部記憶手段と、画像データを出力する画像出力手段と、画像を転送するための通信手段と、前記通信手段に接続された外部機器と、前記外部記憶手段に保存された画像データを前記画像出力手段により出力可能とする前記外部記憶手段の第一のモードと、前記外部機器から転送される画像データを前記画像出力手段により出力する際に、前記外部記憶手段を一時的に利用する第二のモードと、通信手段に接続された外部機器から直接外部記憶手段の内容の読み込み、もしくは読み書き可能とする第三のモードと、外部記憶手段に保存されたデータにより本体の機能を拡張可能な第四のモードのうち、少なくとも二つのモードを持ち、前記のモードを切り替えて使用するための外部記憶手段モード切り替え手段とを具備することを特徴とした画像出力装置。
【発明の効果】
【００１８】
本発明による画像入力装置では、外部メモリカードにおいて複数の機能を使い分ける際に発生する不具合を解決することができ、より使いやすい装置をユーザーに提供することができる。
【００１９】
また、外部メモリカードに設定されたモードをメモリカード内部に保存しておくことで、メモリカードが挿入された時点で、自動的にモードを設定することができる。
【００２０】
本実施形態においてはスキャナ、プリンタおよび、これらの複合機能を持つ画像処理装置に特化しているが本発明による効果は別の構成を持つ装置においても有効である。
【発明を実施するための最良の形態】
【００２１】
以下に本発明における実施の形態を述べる。
【００２２】
図１には本体の斜視図である。
【００２３】
１０１は画像を読み込むための原稿を載置するための原稿台、１０２は載置された原稿を押さえるための原稿台カバー、１０３は印刷を行うための紙を載置するための給紙トレイ、１０４は印刷後の紙を出力し、積載するための排紙トレイ、１０５は外部メモリカードを着脱するためのコネクタ、１０６は本装置を操作するための操作ボタン群、１０７はユーザーにより本装置の動作を確認、および操作指示を行うための表示パネルである。
【００２４】
１０８は本装置と外部コンピュータを接続するためのケーブルを接続するコネクタ、１０９は接続ケーブルであり、１１０はスピーカーユニットである。
【００２５】
図２は本実施形態のハード構成図である。
【００２６】
この図において２０１はＣＰＵ、２０２は内部ＲＡＭ、２０３は本装置の制御プログラムが格納されたＲＯＭである。
【００２７】
２０４はストレージ部であり、ここには外部メモリカードが着脱可能である。
【００２８】
２０５はプリンタ部であり、２０６はスキャナ部である。２０７はユーザーインターフェイス部であり、２０８はスピーカー部である。
【００２９】
２０９は制御部に接続された通信部であり、これを通じて外部コンピュータと接続される。
【００３０】
ＣＰＵは以下の５つの機能を実現するべく制御する。
【００３１】
＜コピー機能＞
ＣＰＵ２０１はスキャナ部２０６から入力された画像を一時的に内部ＲＡＭ２０２に保存し、プリント部２０５に送信することで、画像をコピーするよう制御する。また、後述する外部メモリカードを拡張ＲＡＭとして仕様するモードが設定されていた場合には入力された画像を一時的に外部メモリカードにも保存するよう制御する。
【００３２】
＜スキャン機能＞
ＣＰＵ２０１はスキャナ部２０６から入力された画像を一時的に内部ＲＡＭ２０２に保存し、通信部２０９を通して、接続された外部コンピュータに画像を転送もしくは、外部メモリカードに保存するよう制御する。また、外部コンピュータに画像を転送する際に、後述する外部メモリカードを拡張ＲＡＭとして仕様するモードが設定されていた場合には入力された画像を一時的に外部メモリカードにも保存するよう制御する。
【００３３】
＜印刷機能＞
ＣＰＵ２０１は通信手段２０９に接続された外部コンピュータから送信された印刷データを受け取り、内部ＲＡＭ２０２に一時的に記憶し、プリンタ部２０５に送信し、印刷するよう制御する。
【００３４】
また、後述する外部メモリカードを拡張ＲＡＭとして仕様するモードが設定されていた場合には受け取った画像を一時的に外部メモリカードにも保存するよう制御する。
【００３５】
＜ダイレクトプリント機能＞
ＣＰＵ２０１はストレージ部２０４に挿入された外部メモリカードに保存されたデータを読み込み、一時的に内部ＲＡＭ２０２に保存し、プリンタ部２０５に送信することで、メモリカードに保存されたデータを直接印刷することができる。
【００３６】
＜ＰＣストレージ機能＞
ＣＰＵ２０１はストレージ部２０４に挿入された外部メモリカードにアクセスし、通信手段２０９に接続された外部コンピュータからのアクセス要求を転送することで外部コンピュータから外部メモリカードの内容に直接、アクセスすることを可能にする。
【００３７】
２０７はＣＰＵ２０１に接続された操作ボタン群、および表示パネルであり、ここから上記に説明したコピー、スキャン、プリント、ダイレクトプリント等の機能をユーザーに指示・確認させるためのものである。
【００３８】
上記のすべての機能を実現させるための実行プログラムはＣＰＵ２０１に接続されたＲＯＭ２０３に保存されており、実行時には一旦、内部ＲＡＭ２０２にコピーされ、実行される。
【００３９】
本装置において外部メモリカードは上記のＰＣストレージ／ダイレクトプリント機能に加え、内部ＲＡＭの拡張メモリカード、および機能拡張モジュールとして使用されるモードを持つ。
【００４０】
内部ＲＡＭの拡張メモリカードとして使用する拡張ＲＡＭモードはスキャナ部から大きな画像を読み込んだ際に内部ＲＡＭの容量不足から、読み取りの中断を繰り返すような場合に有効であり、読み込みを中断する回数が少なくすることができ、高速スキャンが可能となる。
【００４１】
また、外部コンピュータからの印刷指示があった際にも印刷データの一次保存容量が大きくなり、一度に大容量のデータを保存できるため、高速に処理することが可能になる。
【００４２】
さらに、これらを組み合わせてコピーを行う場合にも以上と同様の理由から高速化を行うことが可能となる。
【００４３】
外部メモリカードによる拡張機能は本実施形態においては音声によるユーザー操作補助機能である。
【００４４】
この機能はあらかじめ外部メモリカードに保存された各操作に対応する音声データを、操作時に再生し、ユーザー補助を行うものである。
【００４５】
メモリカードには機種名に準じた拡張子“ｉｎｉ”を持つファイルがあり、この中に“ＳＯＵＮＤ＿ＳＵＰＰＯＲＴ＝ＥＮＡＢＬＥ”もしくは“ＳＯＵＮＤ＿ＳＵＰＰＯＲＴ＝ＤＩＳＡＢＬＥ”の記載がある。本体はメモリカードが挿入された際にこのファイルの有無を確認し、ｄａｔファイルおよび“ＳＯＵＮＤ＿ＳＵＰＰＯＲＴ＝ＥＮＡＢＬＥ”という記載があるならば本機能を有効にするかどうかをユーザーに確認するためのダイアログを出す。
【００４６】
ユーザーにより本機能の拡張が有効にされたならば、あらかじめメモリカードに保存されているそれぞれ操作に応じた以下のような名称の音声ファイルをスピーカー部２０８により再生する。
【００４７】
Ｓｃａｎｎｉｎｇ．ｗａｖ，ｃａｎｃｅｌ．ｗａｖ，ｃｏｐｙ．ｗａｖ，ｐｒｉｎｔ．ｗａｖ…．
【００４８】
また、機種名に準じた拡張子“ｄａｔ”を持つファイルには“ＳＴＯＲＡＧＥ＿ＭＯＤＥ＝ＮＯＲＭＡＬ”、“ＳＴＯＲＡＧＥ＿ＭＯＤＥ＝ＥＸＴＥＲＮＡＬ＿ＲＡＭ”、“ＳＴＯＲＡＧＥ＿ＭＯＤＥ＝ＥＸＴＥＮＴＩＯＮ”のいずれかの記載があり、ＮＯＲＭＡＬが設定されているもしくは、本ファイルが存在しない場合には本装置はダイレクトプリント／ＰＣストレージモードとして外部メモリカードを扱い、ＥＸＴＥＲＮＡＬ＿ＲＡＭが設定されている場合には、外部ＲＡＭモードで扱う。また、ＥＸＴＥＮＴＩＯＮが設定されている場合には拡張機能モードとなるよう制御される。この値は後に述べる手順によってユーザーによりモードが変更された時点で書き換えられる。
【００４９】
図３はオペレーションパネルとボタンによる操作パネル図であり、３０１はコピーボタン、３０２はスキャンボタン、３０３はフォトボタン、３０４は液晶画面、３０５はモノクロボタン、３０６カラーボタン、３０７は作業を中断するためのストップボタン、３０８は本装置の設定を変更するためのメニューボタン、３０９はメニュー選択および印刷枚数を指定するための十字キー、３１０はＯＫボタンである。
【００５０】
コピーボタン３０１、スキャンボタン３０２、フォトボタン３０３の３つのボタンはそれぞれのモードに移行するためのボタンである。
【００５１】
コピーボタン３０１が押されると、本装置はコピーモードに移行し、この状態で十字キーを操作することにより、コピー枚数指定および濃度調整が可能であり、ＯＫボタン３１０を押すことで決定することができる。
【００５２】
カラーボタン３０５、モノクロボタン３０６を押すことによりボタンに対応したコピーが開始される。
【００５３】
スキャンボタン３０２が押されると本装置はスキャンモードに移行する。外部コンピュータが接続されている場合にはカラーボタン３０５、モノクロボタン３０６により自動的に画像を読み込み、接続された外部コンピュータに画像を転送することができる。また、外部コンピュータが接続されていない場合には、挿入された外部メモリカードに画像を保存することができる。
【００５４】
フォトボタン３０３を押されると本装置はダイレクトプリントモードに移行する。
【００５５】
印刷データが保存された外部メモリカードが挿入されている場合には表示パネル上に画像を表示する。外部メモリカードに複数の画像が保存されている場合には十字キーにより画像選択が可能であり、ＯＫボタン３１０を押すことで決定することができる。
【００５６】
カラーボタン３０５、モノクロボタン３０６を押すことにより選択された画像の印刷が開始される。
【００５７】
次に図４を用いて実際に液晶パネル上に表示される内容について説明する。
【００５８】
４０１は上記で説明したコピーモード中の画面、４０２はダイレクトプリントモード中の画面、４０３はスキャンモード中の画面である。
【００５９】
本装置に接続された外部コンピュータから印刷命令が送信された場合には、印刷モードとなり、パネルは４０４の表示となる。
【００６０】
次に図５のフロチャートを用いて、メモリカード挿入時の動作について説明する。
【００６１】
メモリカードが挿入されると、メモリカード内に上述した機種名に準じた拡張子“ｄａｔ”を持つファイルを検索する（ステップＳ５０１）。ファイルを確認し、“ＳＴＯＲＡＧＥ＿ＭＯＤＥ＝ＮＯＲＭＡＬ”、“ＳＴＯＲＡＧＥ＿ＭＯＤＥ＝ＥＸＴＥＲＮＡＬ＿ＲＡＭ”、“ＳＴＯＲＡＧＥ＿ＭＯＤＥ＝ＥＸＴＥＮＴＩＯＮ”のいずれかの記載を見つけたら、対応するモードを設定し（ステップＳ５０２）、終了する。
【００６２】
上記ファイルが見つからないもしくは、記載が無い場合には、メモリカードに機能拡張モジュールが入っているかどうかの判断を行う（ステップＳ５０３）。機能拡張モジュールが入っているならば、機能追加ダイアログを表示し（ステップＳ５０４）、ユーザーがこの機能を拡張するかどうかの判断を行う（ステップＳ５０５）。
【００６３】
ユーザーにより拡張が指示されたならば、メニューに本機能を追加し、メモリカードにこの設定を保存し（ステップＳ５０６）、その他の機能が使用できないことを表示し（ステップＳ５０７）、処理を終了する。
【００６４】
また、ユーザーにより拡張がキャンセルされた場合には、拡張機能がキャンセルされたという内容のダイアログを表示し（ステップＳ５０８）、メモリカードに画像が入っているかどうかの判断を行う（ステップＳ５０９）。
【００６５】
画像が入っている場合には、ダイレクトプリントを行うかをユーザーに問うダイアログを表示し（ステップＳ５１０）、ユーザーによる印刷指示を判断し（ステップＳ５１１）、指示があれば印刷処理を行う（ステップＳ５１２）。
【００６６】
メモリカードに画像が入っていなかった場合および、メモリカードに画像が入っていてもユーザーにより印刷指示が無かった場合には処理を終了する。
【００６７】
図６はメモリカード挿入時の液晶画面の推移を示したものである。
【００６８】
６０１はメモリカード挿入後、メモリカード読み込み中に表示される画面である。
【００６９】
メモリカード内に保存されたモード設定があれば、それに準じた以下の設定画面、
拡張ＲＡＭ機能表示（６０１）、
音声によるユーザー補助機能（６０２）、
ダイレクトプリント／ＰＣストレージ（６０３）
のいずれかを表示し、ＯＫが押されたら終了する。
【００７０】
保存されたモード設定が無い場合には、メモリカード内の機能拡張モジュールの有無を確認し、有るならば、機能拡張の追加指示画面６０５を表示する。
【００７１】
この画面でＯＫが押された場合には機能拡張を行い、その他の機能が使用できないことを表示する画面６０２を表示する。一方、キャンセルが押された場合には、メモリカード内に印刷可能なデータがあればダイレクトプリントモードの画面選択・印刷画面を表示する（６０３）。
【００７２】
また、メモリカード挿入時に拡張機能が見つからず、かつメモリカード内に印刷可能なデータがある場合、機能拡張を追加指示画面６０２で機能の追加が行われなかったが、印刷可能なデータが含まれる場合にもフォトダイレクトモードの画面選択・印刷画面を表示する（６０３）。
【００７３】
次に図７のフロチャートを用いてフォトボタン押下時の動作について説明する。
【００７４】
フォトボタンが押下されると、メモリカードが挿入されているかどうかの判断を行い（ステップＳ７０１）、挿入されていないならば、メモリカードなしエラーを表示し（ステップＳ７０２）、メモリカード挿入待ちとなる（ステップＳ７０３）。メモリカードが挿入されたならば、メモリカード内にモード設定情報があるかの判断を行い（ステップＳ７０４）、あるならば、メモリカード内に保存されたモードを設定する（ステップＳ７０５）。
【００７５】
ステップＳ７０１にてメモリカードが挿入されていると判断した、もしくはステップＳ７０４でメモリカード内にモード設定情報が無かった場合には、メモリカードが機能拡張用として使用されているかどうかの判断を行い（ステップＳ７０６）、拡張機能として使用されていないならば、メモリカードが拡張ＲＡＭとして使用されているかどうかの判断を行う（ステップＳ７０７）。拡張ＲＡＭとして使用されていないならば、メモリカード内に印刷可能なデータが入っているかを確認し（ステップＳ７０８）、入っているならばダイレクトプリントモードの画像選択および印刷画面を表示する（ステップＳ７０９）。この画面でユーザ−により印刷が指示された場合には、印刷処理を行い（ステップＳ７１０）、終了する。
【００７６】
また、上記ステップＳ７０８にてメモリカードに印刷可能なデータが入っていないならば、終了する。
【００７７】
上記ステップＳ７０６にてメモリカードが拡張機能として使用されている場合には、拡張機能としてすでに使用しているという表示を行い（ステップＳ７１１）、メモリカードのモードをダイレクトプリントモードに変更するかどうかのダイアログを表示する（ステップＳ７１２）。そして、ユーザーにより、機能が通常モードに変更されたかどうかの判断を行い（ステップＳ７１３）変更されたならば、メニューから機能を削除し、メモリカードに機能設定を保存し（ステップＳ７１４）、ステップＳ７０８に進む。
【００７８】
上記ステップＳ７０７にてメモリカードが拡張ＲＡＭとして使用されている場合には、拡張ＲＡＭとしてすでに使用されているという内容の表示を行い（ステップＳ７１５）、ステップＳ７１２に進む。
【００７９】
図８を用いてフォトボタン押下時の表示の推移を説明する。
【００８０】
フォトボタンを押下すると、メモリカード読み込み画面（８０１）となり、メモリカードが見つからない場合にはメモリカードなし画面（８０２）となる。メモリカードが見つかった場合には３つのケースに分けられる。
【００８１】
メモリカードがダイレクトプリント／ＰＣストレージモードとして動作している場合には、画像読み込み中画面を表示し（８０３）、画像が見つかったらダイレクトプリント画面（８０４）に移行する。見つからない場合にはフォトボタン押下前の画面に戻る。
【００８２】
メモリカードが拡張ＲＡＭとして使用されていた場合には、その折の内容を表示する（８０５）。
【００８３】
また、メモリカードが音声によるユーザー補助機能として使用されていた場合にもその折の内容を表示する（８０６）。
【００８４】
どちらもＯＫボタンが押されたならば、メモリカードの機能を変更するためのメモリカードの機能選択画面に移行するかをユーザーに選択させる画面に表示し（８０７）、ＯＫが押された場合には、メモリカード機能選択画面に移行する（８０８）（また、ストップが押されてユーザーによりキャンセルされた場合にはフォトボタン押下前の画面に戻る）。
【００８５】
ここで、ユーザーがダイレクト印刷／ＰＣストレージ機能を選択し、ＯＫを押したならば、ダイレクト印刷／ＰＣストレージ機能が選択されたことを表示し（８０９）、ＯＫが押されたら、８０３の画像読み込み中画面を表示に移行する（また、ここでストップが押されてユーザーによりキャンセルされた場合には、フォトボタン押下前の画面に戻る）。
【００８６】
図９を用いてメモリカード取り出し時の動作について説明する。
【００８７】
メモリカードが取り出されたことを検知したら、メモリカードを音声によるユーザー補助機能として使用中かどうかの判断を行い（ステップＳ９０１）、使用しているならば、本機能がメモリカードの取り出しにより使用不可能になることを表示し（ステップＳ９０２）、メモリカードによる追加機能を継続使用するかどうかの確認画面を表示して、ユーザーに選択させる（ステップＳ９０３）。この機能を継続して使用する場合には、メモリカードの挿入要求画面を表示し（ステップＳ９０４）、挿入されるまで待ち（ステップＳ９０５）、挿入を確認できたら、終了する。
【００８８】
ステップＳ９０３でこの機能を継続使用しないという選択がユーザーから行われた場合には、この機能を無効化し、使用できないことを表示する（ステップＳ９０６）。
【００８９】
ステップＳ９０１にてメモリカードが拡張機能として使用されていない場合には、メモリカードが拡張ＲＡＭとして使用されているかどうかの判断を行い（ステップＳ９０７）、外部ＲＡＭとして使用されているならば、メモリカードの取り出しにより拡張ＲＡＭとして使用不可能になることを表示し（ステップＳ９０８）、メモリカードによる拡張ＲＡＭ機能を継続使用するかどうかの確認画面を表示して、ユーザーに選択させる（ステップＳ９０９）。この機能を継続して使用する場合には、メモリカードの挿入要求画面を表示し（ステップＳ９１０）、挿入されるまで待ち（ステップＳ９１１）、挿入を確認できたら、終了する。
【００９０】
ステップＳ９０９にて、この機能を継続使用しないという選択がユーザーから行われた場合には、この機能を無効化し、使用できないことを表示する（ステップＳ９１２）。
【００９１】
ステップＳ９０１にてメモリカードが拡張機能として使用されず、さらにステップＳ９０７においてメモリカードが拡張ＲＡＭとして使用されていない場合には、特に表示等は行わずに終了する。
【００９２】
図１０を用いてメモリカード取り出し時の本体操作画面上の表示について説明する。
【００９３】
メモリカードが取り出された場合に、音声によるユーザー補助機能として使用されている場合には、この機能が取り出しにより無効になるという表示を行い、これを無効化するかどうかをユーザーに選択させる（１００２）。
【００９４】
また、拡張ＲＡＭとして使用されている場合にも同様に、この拡張ＲＡＭとしての機能が取り出しにより無効になるという表示を行い、これを無効化するかどうかをユーザーに選択させる（１００１）。
【００９５】
これらの表示（１００１、１００２）でストップが押され、ユーザーにより元から使用されている機能の継続利用がキャンセルされたならば、メモリカードのモードをダイレクトプリント／ＰＣストレージ機能に設定し、これが設定されたという内容を表示し（１００３）、メモリカードが取り出される以前の画面に戻る。
【００９６】
また、ＯＫが押され、ユーザーにより元から使用されている機能の継続利用が指示されたならば、メモリカード読み込み中画面を表示し（１００４）、メモリカードが読み込めないならば、メモリカード挿入要求画面を表示し、挿入を待つ（１００５）。メモリカードが挿入されたならば、メモリカードに割り当てられている機能を継続的に利用する設定を行い、メモリカードが取り出される以前の画面に戻る。
【００９７】
図１１を用いて、本体によりメモリカードのモードを切り替える手順を示す。
【００９８】
本体の操作パネル上のメニューボタンを押すことで最上位メニュー１１０１が表示される。
【００９９】
この中でメインテナンス／各種設定を選択し、ＯＫを押すと２段目のメニュー１１０２が表示される。さらにこの中から各種設定を選択して、ＯＫを押すと３段目のメニュー１１０３が表示される。この中のメモリカード設定を選択することにより、４段目のメモリカード機能選択画面１１０４に移行する。
【０１００】
このメニューの“音声によるユーザー補助機能”はメモリカードが挿入されていない場合には１１０５のようにグレーアウトされる。
【０１０１】
図１２を用いて、外部接続されたコンピュータでメモリカードがＰＣストレージとして使用されている場合に、メモリカードのモードが変更された場合のコンピュータ上の表示画面について説明する。
【０１０２】
１２０１はＷｉｎｄｏｗｓ（登録商標）ＯＳ上で表示されるＰＣストレージを示す。ストレージはリムーバブルディスクＥとして認識、表示されている。ここで、ユーザーによりメモリカードのモードがダイレクトプリント／ＰＣストレージモード以外に設定された場合には、１２０２のようにモードが切り替えられ使用中の機能が使えなくなるという内容の表示を行う。
【０１０３】
その後、ＰＣストレージがなくなったため、リムーバブルディスクＥは１２０３のようにフォルダから無くなる。
【図面の簡単な説明】
【０１０４】
【図１】本実施形態で説明する装置の斜視図
【図２】本実施形態で説明する装置のハード構成図
【図３】本実施形態で説明する装置の本体ユーザーインターフェイスを示す図
【図４】各動作モード時の操作パネル表示を示す図
【図５】メモリカード挿入時のフローチャート
【図６】メモリカード挿入時の本体ユーザーインターフェイス画面推移図
【図７】フォトボタン押下時の動作を示したフローチャート
【図８】フォトボタン押下時の本体ユーザーインターフェイス画面推移図
【図９】メモリカード取り出し時の動作を示したフローチャート
【図１０】メモリカード取り出し時のの本体ユーザーインターフェイス画面推移図
【図１１】本体ユーザーインターフェイスからのメモリカード機能選択手順を示した画面推移図
【図１２】ＰＣストレージ使用中のメモリカード機能変更時のコンピュータ画面推移図
【符号の説明】
【０１０５】
１０１  原稿台
１０２  原稿台カバー
１０３  給紙トレイ
１０４  排紙トレイ
１０５  コネクタ
１０６  操作ボタン群
１０７  表示パネル
１０８  コネクタ
１０９  接続ケーブル
１１０  スピーカーユニット
【図１】
2007081541.tif 000003
【図２】
2007081541.tif 000004
【図３】
2007081541.tif 000005
【図５】
2007081541.tif 000006
【図７】
2007081541.tif 000007
【図９】
2007081541.tif 000008
【図１０】
2007081541.tif 000009
【図１１】
2007081541.tif 000010
【図４】
2007081541.tif 000011
【図６】
2007081541.tif 000012
【図８】
2007081541.tif 000013
【図１２】
2007081541.tif 000014